(57)【要約】【課題】印刷の品質を向上させることに貢献する印刷装置を提供する。【解決手段】印刷装置の一例としてのプリンター１０は、媒体Ｐに印刷液を吐出する印刷液吐出部２２、および、印刷液を媒体Ｐに定着させるための処理剤を、印刷液吐出部２２から媒体Ｐに印刷液が吐出されるよりも前に媒体Ｐに吐出する処理剤吐出部２１を備えている。また、プリンター１０は、情報取得部４１および処理剤調整部４２を備えている。  情報取得部４１は、温度および湿度の少なくとも一方を含む環境情報を取得する。処理剤調整部４２は、情報取得部４１により取得された環境情報に基づいて、処理剤吐出部２１から吐出する処理剤の量を調整する。【選択図】図１
2015157422.tif 000002
【特許請求の範囲】
【請求項１】
媒体に印刷液を吐出する印刷液吐出部と、
前記印刷液を前記媒体に定着させるための処理剤を前記媒体に吐出する処理剤吐出部と、
温度および湿度の少なくとも一方を含む環境情報を取得する情報取得部と、
前記情報取得部により取得された環境情報に基づいて、前記処理剤吐出部から吐出される前記処理剤の量を調整する処理剤調整部と
を含む印刷装置。
【請求項２】
前記情報取得部は、少なくとも前記媒体の印刷表面の材質の情報を含む媒体情報をさらに取得し、
前記処理剤調整部は、前記環境情報および前記媒体情報に基づいて、前記処理剤の量を調整する
請求項１に記載の印刷装置。
【請求項３】
前記情報取得部は、少なくとも前記媒体の印刷表面の材質が布、金属、フィルム、および、紙のいずれに該当するかの情報を含む前記媒体情報を取得する
請求項２に記載の印刷装置。
【請求項４】
前記情報取得部は、画像に関する情報を含む画像情報をさらに取得し、
前記処理剤調整部は、前記環境情報および前記画像情報に基づいて、前記処理剤の量を調整する
請求項１〜３のいずれか一項に記載の印刷装置。
【請求項５】
前記情報取得部は、前記画像に関する情報である画像の種類が写真、文字、および、図形のいずれに該当するかの情報を含む前記画像情報を取得する
請求項４に記載の印刷装置。
【発明の詳細な説明】
【技術分野】
【０００１】
本発明は、印刷装置に関する。
【背景技術】
【０００２】
印刷装置の一例であるインクジェットプリンターは、印刷液の一例であるインクを媒体に吐出することにより媒体に文字等の情報を印刷する。こうしたインクジェットプリンターによれば、媒体に吐出された印刷液がにじむことがある。そして、このような印刷液のにじみは、印刷の品質を低下させるおそれがある。このため、改良された従来のインクジェットプリンターは、印刷液を媒体に定着させるための処理剤を、印刷液を吐出するよりも前に媒体に噴射する。
【０００３】
特許文献１は、このようなインクジェットプリンターの一例を開示している。このインクジェットプリンターは、媒体に印刷する画像の解像度、および、媒体が普通紙またはコート紙のいずれに該当するかに基づいて、処理剤の一例である多価金属イオンまたはカチオン性物質を含む凝集剤を吐出する量を算出し、その結果に応じて凝集剤を媒体に吐出する。このインクジェットプリンターは、次に、処理剤が吐出された媒体上に印刷液を吐出することにより、媒体に情報を印刷する。このため、印刷液が処理剤と反応することにより、印刷液が媒体に定着する。その結果、媒体に印刷された情報がにじみにくくなり、印刷の品質が向上する。
【先行技術文献】
【特許文献】
【０００４】
【特許文献１】特開２０１０−２０１７１１号公報
【発明の概要】
【発明が解決しようとする課題】
【０００５】
ところで、処理剤が噴射された媒体に対する印刷液の定着しやすさは、インクジェットプリンターの使用環境の影響を受けることがある。このため、特許文献１のインクジェットプリンターが、処理剤が噴射された媒体に印刷液が定着しにくい環境において使用されている場合、処理剤を吐出しても印刷品質が十分に向上しないおそれがある。
【０００６】
本発明は、こうした実情に鑑みてなされたものであり、その目的は、印刷の品質を向上させることに貢献する印刷装置を提供することである。
【課題を解決するための手段】
【０００７】
以下、上記課題を解決するための手段およびその作用効果について記載する。
上記課題を解決する印刷装置は、媒体に印刷液を吐出する印刷液吐出部と、前記印刷液を前記媒体に定着させるための処理剤を、前記印刷液吐出部から前記媒体に印刷液を吐出するよりも前に前記媒体に吐出する処理剤吐出部と、温度および湿度の少なくとも一方を含む環境情報を取得する情報取得部と、前記情報取得部により取得された環境情報に基づいて、前記処理剤吐出部から吐出される処理剤の量を調整する処理剤調整部とを含む。
【０００８】
本願発明者は、処理剤が吐出された媒体に対する印刷液の定着のしやすさと、印刷装置が使用される環境との関係を確認するための試験を実施し、処理剤が吐出された媒体に対する印刷液の定着のしやすさを定量的に評価した。その結果によれば、処理剤が吐出された媒体に対する印刷液の定着のしやすさを示す定着率は、温度および湿度の少なくとも一方と相関を有する。このため、温度および湿度の少なくとも一方の影響により定着率が低下するおそれがあるとき、そのような定着率の低下を補償するように印刷装置が処理剤を吐出することにより、印刷の品質が低下しにくくなる。本印刷装置は、このような事項を踏まえて、上記のとおり処理剤調整部により処理剤の量を調整している。このため、温度および湿度の少なくとも一方の影響により、印刷の品質が低下することが抑制される。
【０００９】
上記印刷装置において、前記情報取得部は、少なくとも前記媒体の印刷表面の材質の情報を含む媒体情報をさらに取得し、前記処理剤調整部は、前記環境情報および前記媒体情報に基づいて、前記処理剤の量を調整することが好ましい。
【００１０】
本願発明者は、印刷液の定着率が、温度および湿度の影響だけではなく、さらに印刷表面の材質の影響を受けることを試験により確認した。その理由は、媒体に対する処理剤の浸透のしやすさが、印刷表面の材質に応じて異なることによると考えられる。本印刷装置は、このような事項を踏まえ、環境情報および前記媒体情報に基づいて処理剤の量を調整している。このため、印刷の品質がより低下しにくくなる。
【００１１】
上記印刷装置において、前記情報取得部は、少なくとも前記媒体の印刷表面の材質が布、金属、フィルム、および、紙のいずれに該当するかの情報を含む前記媒体情報を取得することが好ましい。
【００１２】
複数の媒体において印刷表面の材質が互いに異なる場合であっても、それぞれの材質が印刷液の定着率に及ぼす影響が実質的に相違しない場合には、印刷表面の材質に応じた処理剤の量の調整度合を、同一の度合、または、それに近い度合に設定することが好ましい。一方、本願発明者が実施した試験によれば、印刷表面の材質である布、金属、フィルム、および、紙は、印刷液の定着率に及ぼす影響の大きさが互いに異なることが確認されている。本印刷装置は、このように定着率に及ぼす影響の相違が予め確認されている印刷表面の材質に応じて処理剤の量を調整している。このため、印刷の品質がより低下しにくくなる。
【００１３】
上記印刷装置において、前記情報取得部は、前記媒体に印刷するために設定される画像に関する情報を含む画像情報をさらに取得し、前記処理剤調整部は、前記環境情報および前記画像情報に基づいて、前記処理剤の量を調整することが好ましい。
【００１４】
印刷装置から媒体に吐出される印刷液の量は、画像の種類に応じて異なる。一方、印刷液の定着率は、印刷装置から媒体に吐出される印刷液の量が多くなるにつれて低下しやすい。本印刷装置は、このような事項を踏まえ、上記のとおり処理剤の量を調整している。このため、印刷の品質がより低下しにくくなる。
【００１５】
上記印刷装置において、情報取得部は、前記画像に関する情報である画像の種類が写真、文字、および、図形のいずれに該当するかの情報を含む前記画像情報を取得することが好ましい。
【００１６】
印刷装置から媒体に吐出される印刷液の量は、画像の種類に応じて大きく異なる。本印刷装置によれば、そのような画像の種類に応じて処理剤の量が調整されるため、印刷の品質がより低下しにくくなる。
【発明の効果】
【００１７】
本印刷装置は、印刷の品質を向上させることに貢献する。
【図面の簡単な説明】
【００１８】
【図１】実施形態の印刷装置の概略構成及び制御系のブロック図。
【図２】実施形態の媒体の印刷表面の断面を摸式的に示す摸式図。
【図３】実施形態の処理剤の定着係数と温度との関係を示すグラフ。
【図４】実施形態の媒体の材質と、定着率および処理剤の量との関係を示す説明図。
【図５】実施形態の印刷処理の手順を示すフローチャート。
【発明を実施するための形態】
【００１９】
以下、図を参照して、印刷装置の一例としてのインクジェットプリンター（以降、「プリンター」と称する）の一実施形態を説明する。
図１に示すように、プリンター１０は、液体吐出部２０、印刷制御部３０、および、搬送部５０を備えている。
【００２０】
液体吐出部２０は、印刷液吐出部２２を備えている。印刷液吐出部２２は、印刷媒体である媒体Ｐの白抜き矢印で示す搬送方向（図１では右方向）と交差する幅方向（図１では紙面と直交する方向）に延びるように架設された図示しないガイド軸に案内されて、幅方向（主走査方向）に往復移動可能な状態に備えられている。また、プリンター１０は、図示しない印刷液吐出部２２の走査機構を備えている。印刷液吐出部２２は、走査機構が駆動されることにより、幅方向に沿って往復移動する。
【００２１】
プリンター１０は、印刷液吐出部２２が主走査方向に往復移動しながら搬送方向（副走査方向）に搬送される媒体Ｐに向けて印刷液を吐出することにより、媒体Ｐの印刷表面に画像を印刷する。
【００２２】
液体吐出部２０は、媒体Ｐの搬送方向における印刷液吐出部２２の上流側に処理剤吐出部２１を備えている。処理剤吐出部２１は、処理剤の一例としての定着液を媒体Ｐに向けて吐出する。処理剤吐出部２１は、媒体Ｐの幅方向に、媒体Ｐの最大幅よりも長く延びる構成を有する。処理剤吐出部２１は、搬送方向に搬送される媒体Ｐに向けて、媒体Ｐの幅方向の全体にわたって処理剤を吐出する。したがって、媒体Ｐが搬送方向に搬送されることにより、媒体Ｐの印刷表面には、全面に処理剤が塗布される。
【００２３】
プリンター１０は、媒体Ｐの搬送方向における印刷液吐出部２２の下流側に図示しないヒーターを有している。処理剤が塗布された後に印刷液が吐出された媒体Ｐは、搬送方向に搬送されてヒーターによって加熱される。
【００２４】
次に、媒体Ｐを搬送方向に搬送する搬送部５０の構成について説明する。
搬送部５０は、搬送ローラー５１、排出ローラー５２、支持台５３、および、搬送モーター５４を備えている。搬送ローラー５１は、搬送駆動ローラー５１ａ、および、搬送駆動ローラー５１ａに連れ回りする搬送従動ローラー５１ｂを備えている。排出ローラー５２は排出駆動ローラー５２ａ、および、排出駆動ローラー５２ａに連れ回りする排出従動ローラー５２ｂを備えている。
【００２５】
搬送モーター５４が駆動されると、その動力は図示しない動力伝達機構を介して搬送駆動ローラー５１ａおよび排出駆動ローラー５２ａに伝達される。媒体Ｐは、搬送駆動ローラー５１ａの回転に搬送従動ローラー５１ｂが連れ回りすることによって、支持台５３に沿って搬送方向に搬送される。搬送方向に搬送された媒体Ｐは、排出駆動ローラー５２ａの回転に排出従動ローラー５２ｂが連れ回りすることによって、排出ローラー５２から排出される。
【００２６】
次に、印刷制御部３０の構成について説明する。
印刷制御部３０は、温度センサー３１、湿度センサー３２、および、演算処理部４０を備えている。温度センサー３１および湿度センサー３２は、プリンター１０の内部における印刷液吐出部２２の近傍に取付けられる。温度センサー３１は、プリンター１０の印刷液吐出部２２を取り巻く雰囲気の温度情報を出力する。湿度センサー３２は、プリンター１０の印刷液吐出部２２を取り巻く雰囲気の湿度情報を出力する。
【００２７】
演算処理部４０は、情報取得部４１、処理剤調整部４２、記憶部４３、インターフェイス部４４、画像処理部４５、および、制御部４６を備えている。また、演算処理部４０は、図示しないホスト装置と接続するための接続端子４７を備えている。ホスト装置の一例は、パーソナルコンピューターである。接続端子４７の一例は、ＵＳＢ端子である。
【００２８】
プリンター１０には、使用者がホスト装置を操作して印刷指示を行うことにより、ホスト装置から印刷データ、印刷関連情報、および、印刷実行命令が供給される。印刷関連情報は、使用者がホスト装置を用いて設定する印刷に関連する各種の情報である。
【００２９】
ここで、使用者がホスト装置を用いて設定する印刷関連情報について説明する。
ホスト装置には、プリンター１０に対する印刷指示を行うためのプリンタードライバーがインストールされている。使用者は、ホスト装置を用いて印刷を行うときに、プリンタードライバーが実行されることによりホスト装置に表示される印刷設定画面を用いて印刷関連情報を設定する。
【００３０】
ホスト装置の印刷設定画面は、例えば、「印刷色」、「印刷品質」、「媒体種類」、「画像種類」等の各種の項目が設定可能な画面構成となっている。「媒体種類」の項目においては、例えば、「普通紙」、「光沢紙」、「布」、「金属」、「フィルム」等の複数の媒体種類の中から１つを選択することが可能となっている。「画像種類」の項目においては、例えば、「写真」、「文字」、「図形」等の複数の画像種類の中から１つを選択することが可能となっている。
【００３１】
使用者がこれらの各種の項目において、複数の選択肢の中から所望の１つを選択した後に、印刷画面に表示される「印刷」ボタンを選択することにより、ホスト装置からプリンター１０に印刷データとともに、印刷関連情報および印刷実行命令が供給される。このように、ホスト装置からプリンター１０に供給される印刷関連情報は、媒体種類の情報である媒体情報、および、画像種類の情報である画像情報を含む。また、媒体情報は、媒体の材質の情報である媒体材質情報を含む。
【００３２】
次に、演算処理部４０が備えている各ブロックの機能について説明する。
インターフェイス部４４は、接続端子４７に接続されたホスト装置と、情報取得部４１、画像処理部４５、および、制御部４６との間の信号の送受信を行う。
【００３３】
情報取得部４１は、温度センサー３１の温度情報、および、湿度センサー３２の湿度情報を環境情報として取得する。また、情報取得部４１は、インターフェイス部４４を介して、ホスト装置から供給される印刷関連情報を取得する。情報取得部４１は、取得した環境情報および印刷関連情報を処理剤調整部４２および画像処理部４５に出力する。
【００３４】
記憶部４３は、複数の定着率依存情報を記憶している。定着率依存情報の１つは、定着率の環境依存情報である。定着率依存情報の別の１つは、定着率の媒体材質依存情報である。また、定着率依存情報の別の１つは、定着率の画像種類依存情報である。
【００３５】
処理剤調整部４２は、情報取得部４１が出力する環境情報、ならびに、印刷関連情報に含まれる媒体情報および画像情報とあわせて、記憶部４３が記憶する定着率依存情報を用いて処理剤吐出量を算出する。そして、処理剤調整部４２は、算出した処理剤吐出量の情報を処理剤吐出部２１に出力する。つまり、処理剤調整部４２は、情報取得部４１が出力する環境情報、ならびに、印刷関連情報に含まれる媒体情報および画像情報に基づいて、処理剤吐出部２１から吐出する処理剤の量を調整する。このとき、処理剤調整部４２は、情報取得部４１から出力される媒体情報が有している媒体材質情報を用いて処理剤の吐出量を算出している。
【００３６】
画像処理部４５は、インターフェイス部４４を介して供給される印刷データ、および、情報取得部４１からの印刷関連情報に基づいて、印刷液吐出部２２の印刷液の吐出量を算出し、算出した印刷液吐出量情報を印刷液吐出部２２に出力する。また、画像処理部４５は、インターフェイス部４４を介して供給される印刷データ、および、印刷実行命令に基づいて、搬送モーター５４を制御する信号を出力する。
【００３７】
制御部４６は、インターフェイス部４４を介して供給される印刷関連情報、および、印刷実行命令に基づいて、情報取得部４１、処理剤調整部４２、および、画像処理部４５の動作を制御する制御信号を各部に供給する。
【００３８】
次に、記憶部４３が記憶する定着率依存情報について説明する。
図２に示すように、処理剤吐出部２１および印刷液吐出部２２と対向する位置を通過した媒体Ｐの印刷表面には、処理剤層６１および印刷液層６２が形成される。このように、処理剤層６１は、媒体Ｐおよび印刷液層６２と接している。印刷液層６２の印刷液は、処理剤層６１の処理剤との化学反応によって、媒体Ｐに定着する。
【００３９】
印刷液を媒体Ｐに吐出して印刷を行うときの温度が異なる場合であっても、温度が印刷液の定着率に及ぼす影響が実質的に相違しない場合には、印刷を行うときの温度に応じた処理剤の量を同一、または、それに近い量に設定することが好ましい。
【００４０】
図３は、印刷を行うときの温度と定着率との関係の確認結果を示している。なお、図３においては、印刷液層６２の印刷液が媒体Ｐの印刷表面に定着するときの定着率と温度との関係を、温度の係数である定着係数として示している。定着率は、媒体Ｐに印刷液を吐出して印刷した画像の画像濃度と、この印刷画像を所定の方法で擦った後の画像濃度を比較することによって確認した。
【００４１】
処理剤層６１が吐出された媒体Ｐに対する印刷液の定着率は、温度と正の相関関係を有している。その理由は、温度が高くなるほど印刷液と処理剤との化学反応が促進されるためであると考えられる。プリンター１０は、確認した定着率と温度との関係、および、同様の方法で確認した定着率と湿度との関係を、定着率の環境依存情報として記憶部４３に記憶している。
【００４２】
次に、媒体Ｐの材質に関する定着率の媒体材質依存情報について説明する。
図２に示すように、処理剤層６１は、媒体Ｐと接している。媒体Ｐの印刷表面の材質が異なる場合であっても、それぞれの材質が印刷液の定着率に及ぼす影響が実質的に相違しない場合には、印刷表面の材質に応じた処理剤の量を同一、または、それに近い量に設定することが好ましい。
【００４３】
図４は、媒体情報である媒体Ｐの材質と、定着率との関係、および、媒体Ｐの材質と同一の定着率を実現するための処理剤の量との関係の確認結果を示している。確認に用いた媒体Ｐの材質は、布、金属、フィルム、および、紙である。
【００４４】
図４に示すように、印刷液の定着率は、媒体Ｐの印刷表面の材質の影響を受ける。その理由は、媒体Ｐに対する処理剤の浸透のしやすさが印刷用面の材質の応じて異なることによると考えられる。
【００４５】
同一の定着率を実現するための処理剤の量は、定着率と負の相関を有している。このため、同一の定着率を実現するには、媒体Ｐの材質が布である場合に、多くの量の処理剤が必要となってくる。プリンター１０は、確認した定着率と媒体Ｐの材質との関係に関する情報を、定着率の媒体材質依存情報として記憶部４３に記憶している。
【００４６】
次に、印刷する画像の種類に関する定着率の画像種類依存情報について説明する。
印刷液吐出部２２から媒体Ｐに吐出される印刷液の量は、画像の種類に応じて異なる。印刷液の量は、写真のように、そのデータ量が大きい場合に多くなる。印刷液の定着率は、媒体Ｐに吐出される印刷液の量が多くなるにつれて低下しやすい。プリンター１０は、確認した定着率と画像の種類との関係に関する情報を、定着率の画像種類依存情報として記憶部４３に記憶している。
【００４７】
図５を参照して、プリンター１０が行う印刷処理の概要について説明する。
制御部４６は、インターフェイス部４４を介してホスト装置から印刷実行命令を受信すると、情報取得部４１、処理剤調整部４２、および、画像処理部４５に対する制御を開始する。
【００４８】
ホスト装置から印刷実行命令を受信すると、まず、制御部４６は、ステップＳ１１において、インターフェイス部４４を介してホスト装置から供給される印刷関連情報の中から、媒体情報を情報取得部４１に取得させる。次に、制御部４６は、ステップＳ１２において、インターフェイス部４４を介してホスト装置から供給される印刷関連情報の中から、画像情報を情報取得部４１に取得させる。次に、制御部４６は、ステップＳ１３において、温度情報および湿度情報を情報取得部４１に取得させる。
【００４９】
次に、処理剤調整部４２は、ステップＳ１４において、情報取得部４１が取得した温度情報、湿度情報、媒体情報、および、画像情報に基づいて、処理剤の吐出量を算出する。処理剤吐出部２１は、ステップＳ１５において、処理剤調整部４２が算出した処理剤吐出量の情報に基づいて、処理剤を媒体Ｐに向けて吐出する。
【００５０】
次に、ステップＳ１６において、印刷液吐出部２２は、画像処理部４５が出力する印刷液吐出量情報に基づいて、印刷液を媒体Ｐに向けて吐出することにより、処理剤が吐出された媒体Ｐに画像を印刷する。
【００５１】
制御部４６は、ステップＳ１７において、印刷が終了したか否かを判定する。印刷が終了していないと判定したとき（ステップＳ１７：ＮＯ）、制御部４６は、ステップＳ１３およびステップＳ１４を実行する。次に、処理剤吐出部２１は、ステップＳ１５を実行する。つづいて、印刷液吐出部２２は、ステップＳ１６を実行する。
【００５２】
制御部４６は、ステップＳ１７において、印刷が終了したと判定したとき（ステップＳ１７：ＹＥＳ）、印刷処理を終了する。
図５に示す一連のフローを実行することにより、プリンター１０は、印刷処理を実行するときの媒体の材質および、画像の種類に応じて、処理剤の吐出量を調整する。また、プリンター１０は、印刷処理を実行している間の温度および湿度の変化に応じて、処理剤の吐出量を調整する。
【００５３】
次に、以上のように構成されるプリンター１０の作用について説明する。
プリンター１０は、搬送ローラー５１を回転させることによって搬送方向に搬送する媒体Ｐに対して、まず、処理剤吐出部２１から処理剤を吐出することにより、媒体Ｐの幅方向の全体にわたって処理剤を塗布する。このとき、処理剤吐出部２１は、処理剤調整部４２が算出した処理剤吐出量の情報に応じた量の処理剤を吐出する。
【００５４】
処理剤調整部４２は、処理剤吐出量を算出するにあたって、情報取得部４１が取得した温度情報、湿度情報、媒体情報、および、画像情報を用いる。処理剤調整部４２は、上記情報を用いて、記憶部４３に記憶した定着率の環境依存情報、媒体材質に関する定着率の媒体材質依存情報、および、画像種類に関する定着率の画像種類依存情報に基づいて処理剤吐出量を算出する。プリンター１０は、処理剤を塗布した媒体Ｐに対して、印刷液吐出部２２から印刷液を吐出して媒体Ｐに画像を印刷する。
【００５５】
上記説明した実施形態によれば、以下の効果を得ることができる。
（１）処理剤が吐出された媒体Ｐに対する印刷液の定着のしやすさを示す定着率は、温度および湿度の少なくとも一方と相関を有する。処理剤調整部４２は、情報取得部４１が取得する温度情報および湿度情報に基づいて、処理剤吐出量を算出する。処理剤吐出部２１は、処理剤調整部４２が算出する処理剤吐出量に基づいて、媒体Ｐに対して処理剤を吐出する。このため、プリンター１０は、温度および湿度の少なくとも一方の影響により定着率が低下するおそれがあるとき、そのような定着率の低下を抑制するように処理剤を吐出することにより、印刷の品質が低下しにくくなる。このため、温度および湿度の少なくとも一方の影響により、印刷の品質が低下することが抑制される。
【００５６】
（２）情報取得部４１は、環境情報に加えて、媒体情報を取得する。処理剤調整部４２は、定着率の環境依存情報、および、定着率の媒体材質依存情報に基づいて処理剤の量を調整する。このため、環境、および、媒体Ｐの材質に応じて定着率が異なることによる印刷品質の低下を抑制するように印刷装置１０が処理剤を吐出する。このため、印刷の品質がより低下しにくくなる。
【００５７】
（３）情報取得部４１は、インターフェイス部４４を介してホスト装置から供給される印刷関連情報から媒体Ｐの材質として、布、金属、フィルム、および、紙のいずれかであるかの情報を含む媒体情報を取得する。処理剤調整部４２は、情報取得部４１からの媒体情報に基づいて、処理剤吐出量を算出する。このため、処理剤調整部４２は、定着率に及ぼす影響の相違が予め確認されている印刷表面の材質に応じて処理剤の量を調整している。このため、印刷の品質がより低下しにくくなる。
【００５８】
（４）情報取得部４１は、環境情報に加えて、画像情報を取得する。処理剤調整部４２は、定着率の環境依存情報、および、定着率の画像種類依存情報に基づいて処理剤の量を調整する。このため、環境、および、画像の種類に応じて定着率が異なることによる印刷品質の低下を抑制するように印刷装置１０が処理剤を吐出する。このため、印刷の品質がより低下しにくくなる。
【００５９】
（５）情報取得部４１は、インターフェイス部４４を介してホスト装置から供給される印刷関連情報から画像の種類として、写真、文字、および、図形のいずれかであるかの情報を含む画像情報を取得する。処理剤調整部４２は、情報取得部４１からの画像情報に基づいて、処理剤吐出量を算出する。印刷液吐出部２２から媒体Ｐに吐出される印刷液の量は、画像の種類に応じて大きく異なる。処理剤調整部４２は、そのような画像の種類に応じて処理剤の量を調整するため、印刷の品質がより低下しにくくなる。
【００６０】
なお、上記実施形態は、以下のような別の実施形態に変更することもできる。
・上記実施形態において、情報取得部４１は、印刷関連情報が有している媒体情報から判定した媒体Ｐの材質に基づいて、処理剤の吐出が必要であるか否かの判定を行ってもよい。このような制御とすることにより、処理剤の吐出が必要でないと判定したとき、制御部４６は、処理剤吐出部２１からの処理剤の吐出を停止する制御を行うことができる。このため、プリンター１０は、無駄な処理剤の消費を抑制することができる。
【００６１】
・上記実施形態において、温度センサー３１および湿度センサー３２を、ヒーターの近傍に配置する構成としてもよい。
・上記実施形態において、記憶部４３は、定着率と環境条件との関係を表す数式、定着率と媒体Ｐの材質との関係を表す数式、および、定着率と画像種類との関係を表す数式を記憶してもよい。処理剤調整部４２は、これらの数式を用いて処理剤吐出量を算出する。
【００６２】
・上記実施形態において、プリンター１０は、印刷関連情報を設定する設定部を備える構成であってもよい。この構成によれば、使用者は、ホスト装置に表示される印刷画面を用いることなく、印刷関連情報を設定することができる。
【００６３】
・上記実施形態において、処理剤吐出部２１は、印刷液吐出部２２が印刷液を吐出する領域を含む領域に対して処理剤を吐出してもよい。
・上記実施形態において、プリンター１０は、情報取得部４１が出力する温度情報、湿度情報、媒体情報、および、画像情報に基づいて印刷液の吐出量を算出する印刷液吐出量調整部を備える構成であってよい。そして、印刷液吐出部２２が、印刷液吐出量調整部が算出する印刷液の吐出量に基づいて、印刷液の吐出を行う。この構成によれば、プリンター１０は、印刷の品質をさらに向上させることができる。
【００６４】
・上記実施形態において、プリンター１０は、図５に示すステップＳ１１、ステップＳ１２、および、ステップＳ１３を、図５に示す順序とは異なる順序で実行してもよい。
・上記実施形態において、プリンター１０は、図５に示すステップＳ１５とステップＳ１６の実行順序を入れ替えた印刷処理を行ってもよい。すなわち、プリンター１０は、印刷液を吐出した後に処理剤を吐出する印刷処理を行ってもよい。
【符号の説明】
【００６５】
Ｐ…媒体、１０…印刷装置（プリンター）、２１…処理剤吐出部、２２…印刷液吐出部、４１…情報取得部、４２…処理剤調整部。
【図１】
2015157422.tif 000003
【図２】
2015157422.tif 000004
【図３】
2015157422.tif 000005
【図４】
2015157422.tif 000006
【図５】
2015157422.tif 000007